(57)【要約】【課題】  内部構成部品のレイアウトの設計自由度が阻害されることなく、筐体内部への塵埃の侵入および外部への騒音の漏れを防止しつつ、内部構成部品を効果的に冷却することが可能なディスク装置の冷却機構を提供する。【解決手段】  ディスク装置１００Ａは、ディスクが載置されるディスク載置部２０ｂを有するディスクトレイ２０と、ディスクトレイ２０が出入り可能なトレイ出入口を有する筐体１０と、トレイ出入口を通じてディスクトレイ２０をローディング位置とアンローディング位置との間で移動させるトレイ搬送機構とを備える。ディスクトレイ２０は、少なくともディスクトレイ２０がローディング位置にある状態において、筐体１０の外部に位置する外気のみを通風する外気用通風路を内部に有する。【選択図】        図２
2006024242.tif 000002
【特許請求の範囲】
【請求項１】
ディスク状記録媒体が載置されるディスク載置部を有するディスクトレイと、前記ディスクトレイが出入り可能なトレイ出入口を有する筐体と、前記トレイ出入口を通じて前記ディスクトレイをローディング位置とアンローディング位置との間で移動させるトレイ搬送機構とを備えたディスク装置であって、
前記ディスクトレイは、少なくとも当該ディスクトレイが前記ローディング位置にある状態において、前記筐体の外部に位置する外気のみを通風する外気用通風路を内部に含む金属製中空成形体と、当該金属製中空成形体の上部を覆うように取付けられ、上面に前記ディスク載置部を有し、少なくとも当該ディスクトレイが前記ローディング位置にある状態において、前記中空成形体との間で前記筐体の内部に位置する内気のみを通風する内気用通風路を形成する樹脂製トレイカバーとを含み、
当該ディスク装置は、前記外気用通風路を通過する外気の流れを促進させる送風手段と、前記内気用通風路を通過する内気の流れを促進させる送風手段とをさらに備え、
前記内気用通風路を通過した内気が、前記筐体内部に配設されたピックアップに吹き付けられるように構成されている、ディスク装置。
【請求項２】
ディスク状記録媒体が載置されるディスク載置部を有するディスクトレイと、前記ディスクトレイが出入り可能なトレイ出入口を有する筐体と、前記トレイ出入口を通じて前記ディスクトレイをローディング位置とアンローディング位置との間で移動させるトレイ搬送機構とを備えたディスク装置であって、
前記ディスクトレイは、少なくとも当該ディスクトレイが前記ローディング位置にある状態において、前記筐体の外部に位置する外気のみを通風する外気用通風路を内部に有している、ディスク装置。
【請求項３】
前記外気用通風路を通過する外気の流れを促進させる送風手段をさらに備える、請求項２に記載のディスク装置。
【請求項４】
前記ディスクトレイは、少なくとも当該ディスクトレイが前記ローディング位置にある状態において、前記筐体の内部に位置する内気のみを通風する内気用通風路を内部にさらに有している、請求項２または３に記載のディスク装置。
【請求項５】
前記内気用通風路を通過する内気の流れを促進させる送風手段をさらに備える、請求項４に記載のディスク装置。
【請求項６】
前記外気用通風路と前記内気用通風路とは、前記ディスクトレイの内部において少なくとも一部分において並列に配置されており、これら外気用通風路と内気用通風路とを隔てる隔壁の表面における外気の流動方向と内気の流動方向とが少なくとも一部分において逆向きである、請求項４または５に記載のディスク装置。
【請求項７】
前記内気用通風路を通過した内気を前記筐体内部に排出する内気排気口が、前記筐体内部に配設されたピックアップに面している、請求項４から６のいずれかに記載のディスク装置。
【請求項８】
前記ディスク載置部の表面が、樹脂材料にて形成されている、請求項２から７のいずれかに記載のディスク装置。
【請求項９】
前記ディスクトレイは、前記外気用通風路を内部に含む金属製中空成形体と、当該金属製中空成形体の上部を覆うように取付けられ、上面に前記ディスク載置部を有し、前記中空成形体との間で前記内気用通風路を形成する樹脂製トレイカバーとを含む、請求項２から８のいずれかに記載のディスク装置。
【請求項１０】
前記筐体は、当該筐体の外部に位置する外気を前記外気用通風路に導入する外気吸気口と、前記外気用通風路を通過した外気を前記筐体外部に排出する外気排気口とを含み、
前記ディスクトレイが前記ローディング位置にある状態において、前記外気吸気口と前記外気用通風路とが気密に接続され、かつ前記外気排気口と前記外気用通風路とが気密に接続される、請求項２から９のいずれかに記載のディスク装置。
【請求項１１】
前記筐体は、当該筐体の外部に位置する外気を前記外気用通風路に導入する外気吸気口と、前記外気用通風路を通過した外気を前記筐体外部に排出する外気排気口とを含み、
前記外気吸気口と前記外気用通風路とが可撓性のチューブによって気密に接続され、かつ前記外気排気口と前記外気用通風路とが可撓性のチューブによって気密に接続されている、請求項２から９のいずれかに記載のディスク装置。
【発明の詳細な説明】
【技術分野】
【０００１】
本発明は、ディスク装置に関し、より具体的には、筐体内部に設置される発熱部品を冷却させる冷却機構を備えたディスク装置に関する。
【背景技術】
【０００２】
従来、ＤＶＤ（Digital Versatile Disc）に代表されるディスク状記録媒体（以下、単にディスクとも言う）に記録された情報を再生したり、あるいはディスク状記録媒体に情報を記録したりする装置として、ディスク装置が広く利用されている。ディスク装置の内部には、ディスク状記録媒体を高速回転させるためのモータやピックアップ等を駆動させるためのモータ、これらモータを駆動するための駆動回路、記録、再生、消去を行なうピックアップなど、各種の電子部品が多数配設されている。
【０００３】
これら電子部品はいずれも発熱部品であり、ディスク装置が長時間にわたって連続的に作動させられた場合には、筐体内部に熱がこもり、性能劣化や故障の原因につながることが懸念される。特に、近年常用されているＤＶＤをディスクとして利用するＤＶＤドライブにおいては、従来利用されていたＣＤ（Compact Disc）等に比べてディスクをより高速で回転させることが必要とされており、また、記録、再生等に用いられるレーザ光のエネルギも従来に比して大きいため、これら発熱部品の冷却は必要不可欠となっている。
【０００４】
発熱部品を冷却する冷却機構としては、種々の構成のものが知られている。たとえば、特開２０００−１６３９４８号公報（特許文献１）には、筐体に外気を取り込む吸気口を設け、この吸気口から導入される外気をディスクの回転によってディスク回転空間に生じる空気流とともに、ディスク回転空間外に排気する構成の冷却機構が開示されている。また、特開平８−３３９６７８号公報（特許文献２）には、ディスクトレイのディスク載置部の外周面にスリット孔を設け、ディスクの回転によって発生した空気の流れをスリット孔に誘導し、トレイの下部に配置された発熱部品に吹き付ける構成の冷却機構が開示されている。
【０００５】
しかしながら、上記特許文献１または２に開示されたような冷却機構を採用した場合には、筐体内部に導入した外気が直接ディスクや発熱部品に吹き付けられるため、外気中に含まれる塵埃がディスクや発熱部品に付着し、故障の原因となる問題が生じる。また、外気を取り込んだり排気したりするための吸排気口が筐体に設けられているため、ディスクを高速回転させることによって生じる風切り音やモータの駆動音が直接筐体外部に漏れ出ることになり、ユーザに不快感を与える原因となってしまう。
【０００６】
そこで、特開２００３−１０００６９号公報（特許文献３）や特開平１０−３１２６７８号公報（特許文献４）に開示のディスク装置においては、各種発熱部品が配置され、ディスクが装填される機械室と、この機械室の下方に位置し外気が通風する風路室とに筐体内を区画し、風路室に臨むように各種発熱部品を機械室に配設することにより、機械室への塵埃の侵入と機械室にて生じる騒音の外部への漏れとを防止しつつ、発熱部品の冷却が行なえるように構成している。
【０００７】
しかしながら、上記特許文献３または４に開示の如くの冷却機構を採用した場合には、機械室のほかに風路室を別途筐体内部に区画形成する必要があり、必要以上にディスク装置が大型化してしまう問題がある。また、効率よく発熱部品を冷却するためには発熱部品のレイアウトに一定の制限が加えられてしまうため、設計自由度が大きく損なわれるという問題が生じる。
【特許文献１】特開２０００−１６３９４８号公報
【特許文献２】特開平８−３３９６７８号公報
【特許文献３】特開２００３−１０００６９号公報
【特許文献４】特開平１０−３１２６７８号公報
【発明の開示】
【発明が解決しようとする課題】
【０００８】
そこで、本発明は上述の問題点を解決すべくなされたものであり、その目的とするところは、内部構成部品のレイアウトの設計自由度が阻害されることなく、筐体内部への塵埃の侵入および外部への騒音の漏れを防止しつつ、内部構成部品を効果的に冷却することが可能なディスク装置の冷却機構を提供することにある。
【課題を解決するための手段】
【０００９】
本発明の第１の局面に基づくディスク装置は、ディスク状記録媒体が載置されるディスク載置部を有するディスクトレイと、上記ディスクトレイが出入り可能なトレイ出入口を有する筐体と、上記トレイ出入口を通じて上記ディスクトレイをローディング位置とアンローディング位置との間で移動させるトレイ搬送機構とを備えるものである。上記ディスクトレイは、少なくとも上記ディスクトレイが上記ローディング位置にある状態において、上記筐体の外部に位置する外気のみを通風する外気用通風路を内部に含む金属製中空成形体と、上記金属製中空成形体の上部を覆うように取付けられ、上面に上記ディスク載置部を有し、少なくとも上記ディスクトレイが上記ローディング位置にある状態において、上記中空成形体との間で上記筐体の内部に位置する内気のみを通風する内気用通風路を形成する樹脂製トレイカバーとを含む。また、本ディスク装置は、上記外気用通風路を通過する外気の流れを促進させる送風手段と、上記内気用通風路を通過する内気の流れを促進させる送風手段とをさらに備える。そして、上記内気用通風路を通過した内気が、上記筐体内部に配設されたピックアップに吹き付けられるように構成されている。
【００１０】
このように構成することにより、ディスクトレイがローディング位置にある状態において筐体の内部空間の気密性を保ったまま、内気と外気とをディスクトレイを介して熱交換させることが可能になるため、昇温した内気が外気によって冷却され、この冷却された内気によって発熱部品が冷却されるようになる。そのため、内部構成部品のレイアウトの設計自由度が阻害されることなく、筐体内部への塵埃の侵入および外部への騒音の漏れを防止しつつ、内部構成部品を効果的に冷却することが可能になる。
【００１１】
また、ディスクが載置されるディスク載置部を樹脂製としつつ、内気と外気との熱交換を介在する内気用通風路と外気用通風路との間の隔壁を金属製としているため、ディスクの情報記録面が傷つくことを防止しつつ、高効率で内気と外気との熱交換を行なうことができる。
【００１２】
さらには、特に熱による影響を受け易いピックアップを効果的に冷却することが可能になるため、読み取り・書き込みエラー等の動作不良を防止することが可能になる。
【００１３】
本発明の第２の局面に基づくディスク装置は、ディスク状記録媒体が載置されるディスク載置部を有するディスクトレイと、上記ディスクトレイが出入り可能なトレイ出入口を有する筐体と、上記トレイ出入口を通じて上記ディスクトレイをローディング位置とアンローディング位置との間で移動させるトレイ搬送機構とを備えるものである。上記ディスクトレイは、少なくとも上記ディスクトレイが上記ローディング位置にある状態において、上記筐体の外部に位置する外気のみを通風する外気用通風路を内部に有する。
【００１４】
このように構成することにより、ディスクトレイがローディング位置にある状態において筐体の内部空間の気密性を保ったまま、内気と外気とをディスクトレイを介して熱交換させることが可能になるため、昇温した内気が外気によって冷却され、この冷却された内気によって発熱部品が冷却されるようになる。そのため、内部構成部品のレイアウトの設計自由度が阻害されることなく、筐体内部への塵埃の侵入および外部への騒音の漏れを防止しつつ、内部構成部品を効果的に冷却することが可能になる。
【００１５】
上記本発明の第２の局面に基づくディスク装置においては、好ましくは、上記外気用通風路を通過する外気の流れを促進させる送風手段をさらに備える。
【００１６】
このように構成することにより、外気の流動が促進されるため、より効果的に内部構成部品を冷却することが可能になる。
【００１７】
上記本発明の第２の局面に基づくディスク装置にあっては、上記ディスクトレイが、少なくとも上記ローディング位置にある状態において、上記筐体の内部に位置する内気のみを通風する内気用通風路を内部にさらに有することが好ましい。
【００１８】
このように構成することにより、内気と外気との熱交換が促進されるようになるため、より効果的に内部構成部品を冷却することが可能になる。
【００１９】
上記本発明の第２の局面に基づくディスク装置においては、好ましくは、上記内気用通風路を通過する内気の流れを促進させる送風手段をさらに備える。
【００２０】
このように構成することにより、内気の流動が促進されるため、より効果的に内部構成部品を冷却することが可能になる。
【００２１】
上記本発明の第２の局面に基づくディスク装置にあっては、上記外気用通風路と上記内気用通風路とが上記ディスクトレイの内部において少なくとも一部分において並列に配置されていることが好ましく、その場合に、これら外気用通風路と内気用通風路とを隔てる隔壁の表面における外気の流動方向と内気の流動方向とが少なくとも一部分において逆向きとなるように構成されていることが好ましい。
【００２２】
このように構成することにより、内気と外気との熱交換効率が向上するため、より効果的に内部構成部品を冷却することが可能になる。
【００２３】
上記本発明の第２の局面に基づくディスク装置にあっては、上記内気用通風路を通過した内気を上記筐体内部に排出する内気排気口が、上記筐体内部に配設されたピックアップに面していることが好ましい。
【００２４】
このように構成することにより、特に熱による影響を受け易いピックアップを効果的に冷却することが可能になるため、読み取り・書き込みエラー等の動作不良を防止することが可能になる。
【００２５】
上記本発明の第２の局面に基づくディスク装置にあっては、上記ディスク載置部の表面が樹脂材料にて形成されていることが好ましい。
【００２６】
このようにディスクと接触するディスクトレイのディスク載置部を樹脂製とすることにより、ディスクの情報記録面が傷つくことが防止されるようになるため、読み取り・書き込みエラー等の動作不良を防止することが可能になる。
【００２７】
上記本発明の第２の局面に基づくディスク装置にあっては、上記ディスクトレイが、上記外気用通風路を内部に含む金属製中空成形体と、この金属製中空成形体の上部を覆うように取付けられ、上面に上記ディスク載置部を有し、上記中空成形体との間で上記内気用通風路を形成する樹脂製トレイカバーとを含んでいることが好ましい。
【００２８】
このように、ディスクが載置されるディスク載置部を樹脂製としつつ、内気と外気との熱交換を介在する内気用通風路と外気用通風路との間の隔壁を金属製とすることにより、ディスクの情報記録面が傷つくことを防止しつつ、高効率で内気と外気との熱交換を行なうことができる。
【００２９】
上記本発明の第２の局面に基づくディスク装置にあっては、上記筐体が、上記筐体の外部に位置する外気を上記外気用通風路に導入する外気吸気口と、上記外気用通風路を通過した外気を上記筐体外部に排出する外気排気口とを含んでいることが好ましく、その場合に、上記ディスクトレイが上記ローディング位置にある状態において、上記外気吸気口と上記外気用通風路とが気密に接続され、かつ上記外気排気口と上記外気用通風路とが気密に接続されることが好ましい。
【００３０】
このように構成することにより、少なくともディスクトレイがローディング位置にある状態において、内気と外気とが混ざり合うことが確実に防止されるため、筐体内部への塵埃の侵入が確実に防止されるようになる。また、内部空間の気密性が確実に確保されるため、外部への騒音の漏れも確実に抑制できるようになる。
【００３１】
上記本発明の第２の局面に基づくディスク装置にあっては、上記筐体が、上記筐体の外部に位置する外気を上記外気用通風路に導入する外気吸気口と、上記外気用通風路を通過した外気を上記筐体外部に排出する外気排気口とを含んでいることが好ましく、その場合に、上記外気吸気口と上記外気用通風路とが可撓性のチューブによって気密に接続され、かつ上記外気排気口と上記外気用通風路とが可撓性のチューブによって気密に接続されていることが好ましい。
【００３２】
このように構成することにより、ディスクトレイがローディング位置にあるかアンローディング位置にあるかによらず、常に内気と外気とが混ざり合うことが確実に防止されるようになるため、筐体内部への塵埃の侵入が確実に防止される。また、内部空間の気密性が確実に確保されるため、外部への騒音の漏れも確実に抑制できる。
【発明の効果】
【００３３】
本発明によれば、内部構成部品のレイアウトの設計自由度が阻害されることなく、筐体内部への塵埃の侵入および外部への騒音の漏れを防止しつつ、内部構成部品を効果的に冷却することが可能になる。
【発明を実施するための最良の形態】
【００３４】
以下、本発明の実施の形態について、図を参照して詳細に説明する。
【００３５】
（実施の形態１）
図１は、本発明の実施の形態１におけるディスク装置を前面側右斜め上方から見た外観図であり、図２は、背面側左斜め上方から見た外観図である。図３は、図１および図２に示すディスク装置におけるディスクトレイの構造を示す平面図であり、図４は、図３中におけるＩＶ−ＩＶ線に沿ったディスクトレイの断面図である。図５および図６は、図１および図２に示すディスク装置における内部構造を示す模式断面図であり、図５は、ディスクトレイがローディング位置から僅かに引き出された状態を示す図であり、図６は、ディスクトレイがローディング位置にある状態を示す図である。
【００３６】
まず、図１および図２を参照して、本実施の形態におけるディスク装置１００Ａの全体構造について説明する。図１および図２に示すように、本実施の形態におけるディスク装置１００Ａは、前面にトレイ出入口１０ａを有する箱形状の筐体１０と、筐体１０の内部に配設されたシャーシ３０（図５および図６参照）と、シャーシ３０に移動自在に支持されたディスクトレイ２０とを備えている。ディスクトレイ２０は、筐体１０の内部に配設されたトレイ搬送機構４０（図５および図６参照）によって駆動され、筐体１０の前面に設けられたトレイ出入口１０ａを通じてローディング位置とアンローディング位置との間で移動する。
【００３７】
ディスク装置１００Ａへのディスク６０の装填は、筐体１０の外部に引き出されたディスクトレイ２０のディスク載置部２０ｂにディスク６０をセットし、トレイ搬送機構４０を用いてディスクトレイ２０を筐体１０の内部へと収容することによって行なわれる。なお、図１は、ディスク６０の着脱が可能となるアンローディング位置にディスクトレイ２０が位置している状態を示しており、この状態において、ディスクトレイ２０は、筐体１０に形成されたトレイ出入口１０ａから前方に向かって部分的に飛び出している。
【００３８】
次に、図３および図４を参照して、ディスクトレイ２０の構造について詳細に説明する。ディスクトレイ２０は、その中央に開口部２０ａを有している。この開口部２０ａは、ディスクトレイ２０が筐体１０の内部に収容されてローディング位置に配置された状態において、ターンテーブルが昇降可能となるように設けられた開口であり、また、ピックアップ５０のピックアップレンズ５１から出射されるレーザ光をディスク６０の情報記録トラックに照射するための開口でもある。この開口部２０ａを介してターンテーブルが上昇することにより、ディスクトレイ２０のディスク載置部２０ｂにセットされたディスク６０がチャッキング位置へと押し上げられ、また、この状態において、上述の開口部２０ａを介してレーザ光がディスク６０の情報記録トラックへと照射されることにより、情報の再生、記録、消去が行なわれる。
【００３９】
上述のように、ディスクトレイ２０には、ディスク載置部２０ｂが設けられている。ディスク載置部２０ｂは、ディスクトレイ２０の表面に凹部を設けることによって形成されている。また、ディスクトレイ２０の前方端には、化粧板２０ｃが取付けられている。この化粧板２０ｃは、ディスクトレイ２０が筐体１０の内部に収容されてローディング位置に配置された状態において、筐体１０の前面に設けられたトレイ出入口１０ａを閉塞する。
【００４０】
ディスクトレイ２０の左右方向の端部には、ガイドレール２１が設けられている。このガイドレール２１は、ディスクトレイ２０の側方端から外側に向かって突出して形成されており、シャーシ３０に設けられた支持部３１（図５および図６参照）によって上下方向から挟み込まれて支持される部位である。また、ディスクトレイ２０の側方端の後部には、外側に向かってストッパ片２３が突出して設けられている。ストッパ片２３は、シャーシ３０に設けられたストッパ部３２（図５および図６参照）に当接することにより、ディスクトレイ２０がシャーシ３０から脱落することを防止する機能を果たすものである。
【００４１】
また、ディスクトレイ２０の下面には、ラック２２が設けられている。ラック２２は、ディスクトレイ２０の前後方向に直線状に設けられており、トレイ搬送機構４０を構成するモータ４１、ベルト４２，中継ギヤ４３，４４、トレイギヤ４５およびスライダ４６（図５および図６参照）のうちのトレイギヤ４５に噛合している。これにより、モータ４１が作動することによってディスクトレイ２０が前後方向へと移動する。
【００４２】
図３および図４に示すように、ディスクトレイ２０の内部には、外気用通風路２５が形成されている。外気用通風路２５は、ディスクトレイ２０の後端面右側に設けられたトレイ側接続端２４ａに連通するとともに、ディスクトレイ２０の後端面左側に設けられたトレイ側接続端２４ｂに連通している。また、外気用通風路２５は、ディスクトレイ２０に設けられた開口部２０ａを囲うように配設されている。なお、外気用通風路２５は、ディスクトレイ２０がローディング位置にある状態において、筐体１０の外部に位置する外気のみを通風する空気の流路である。
【００４３】
上述の構造を有するディスクトレイ２０は、たとえばＡＢＳ（アクリロニトリル−ブタジエン−スチレン）樹脂などの樹脂材料を原料として製作される。このように、ディスクトレイ２０を樹脂材料にて形成することにより、ディスク載置部２０ｂの表面も樹脂製となり、繰り返しディスク６０を着脱してもディスク６０の情報記録面が傷つくことが防止されるようになる。このため、読み取りエラーや書き込みエラー等の動作不良が発生することが未然に防止される。
【００４４】
次に、図５および図６を参照して、本実施の形態におけるディスク装置１００Ａの内部構造について説明する。上述のように、筐体１０の内部には、シャーシ３０が配設されており、ディスクトレイ２０がシャーシ３０によって移動自在に支持されている。また、上述のように、筐体１０内部の前方部分には、トレイ搬送機構４０が配設されており、このトレイ搬送機構４０によってディスクトレイ２０が前後方向に駆動され、ローディング位置とアンローディング位置との間で移動する。なお、筐体１０内部の所定位置には、ピックアップ５０が配置されている。ピックアップ５０の上面には、レーザ光を出射するためのピックアップレンズ５１が取付けられている。
【００４５】
筐体１０の背面には、外気吸気口１１ａおよび外気排気口１１ｂが設けられている。外気吸気口１１ａは、上述のディスクトレイ２０に設けられたトレイ側接続端２４ａに対応する位置である筐体１０の背面右側に設けられており、外気排気口１１ｂは、上述のディスクトレイ２０に設けられたトレイ側接続端２４ｂに対応する位置である筐体１０の背面左側に設けられている。
【００４６】
外気吸気口１１ａの前方には、外気吸気口１１ａに連通する通風路が形成されており、その前方端には、外気吸気側接続端１２ａが設けられている。また、外気排気口１１ｂの前方には、外気排気口１１ｂに連通する通風路が形成されており、その前方端には、外気排気側接続端１２ｂが設けられている。外気吸気側接続端１２ａおよび外気排気側接続端１２ｂには、パッキン１３ａ，１３ｂがそれぞれ貼付されている。また、外気吸気側接続端１２ａの前方に設けられた通風路内には、送風手段であるファン１４が設置されている。このファン１４は、筐体１０の外部に位置する外気を外気吸気口１１ａを介して通風路内に導入するとともに、筐体１０内部に取り込んだ外気の流れを促進させるためのものである。
【００４７】
図６に示すように、ディスクトレイ２０がローディング位置にある状態においては、外気吸気側接続端１２ａがディスクトレイ２０の後端面に設けられたトレイ側接続端２４ａに接続され、外気排気側接続端１２ｂがディスクトレイ２０の後端面に設けられたトレイ側接続端２４ｂに接続される。この状態において、外気吸気側接続端１２ａとトレイ側接続端２４ａ、および外気排気側接続端１２ｂとトレイ側接続端２４ｂは、それぞれパッキン１３ａ，１３ｂを介して接続される。このため、外気吸気口１１ａと外気用通風路２５、および外気用通風路２５と外気排気口１１ｂは、それぞれ気密に接続される。
【００４８】
以上により、ディスクトレイ２０がローディング位置にある状態において、外気吸気口１１ａ、外気用通風路２５、外気排気口１１ｂの順に外気のみが流動する流路が形成される。そして、上記流路が形成された状態においてファン１４を駆動することにより、図３に示す矢印Ａの如くの外気の流れが発生する。なお、このとき、ディスクトレイ２０の前方端に取付けられた化粧板２０ｃによって筐体１０の前面に設けられたトレイ出入口１０ａが閉塞されるため、筐体１０内部に形成された内部空間も気密に封止されることになる。
【００４９】
上述の構成とすることにより、ディスクトレイ２０がローディング位置にある状態において、筐体１０の内部空間の気密性を保ったまま、筐体１０内部に位置する内気と外気用通風路２５内を流動する外気とをディスクトレイ２０を介して熱交換させることが可能になる。このため、昇温した内気が外気によって冷却され、この冷却された内気によって発熱部品（たとえば、トレイ搬送機構４０、ピックアップ５０、ターンテーブル（不図示）等）が冷却されるようになる。そのため、内部構成部品のレイアウトの設計自由度が阻害されることなく、筐体１０内部への塵埃の侵入および外部への騒音の漏れが防止され、かつ内部構成部品を効果的に冷却することが可能になる。
【００５０】
（実施の形態２）
図７は、本発明の実施の形態２におけるディスク装置を背面側左斜め上方から見た外観図である。図８は、図７に示すディスク装置におけるディスクトレイの構造を示す平面図である。図９は、図８中におけるＩＸ−ＩＸ線に沿ったディスクトレイの断面図である。なお、上述の実施の形態１と同様の部分については図中同一の符号を付し、その説明はここでは繰り返さない。
【００５１】
図７ないし図９に示すように、本実施の形態におけるディスク装置１００Ｂは、上述の実施の形態１におけるディスク装置１００Ａと同様に、ディスクトレイ２０がローディング位置にある状態において、外気のみが通風する外気用通風路２５を有している。しかしながら、本実施の形態２におけるディスク装置１００Ｂにおいては、上述の実施の形態１におけるディスク装置１００Ａと異なり、図９に示すように、ディスクトレイ２０が樹脂カバー２０Ａと金属製中空成形体２０Ｂとによって構成されており、外気用通風路２５が金属製中空成形体２０Ｂの内部に形成されている。なお、金属製中空成形体２０Ｂは、たとえばアルミニウム合金や銅または銅合金等を原材料に成形された成形品であり、樹脂カバー２０Ａは、上述の実施の形態におけるディスクトレイ２０と同様に、たとえばＡＢＳ樹脂などの樹脂材料を原料として製作される。
【００５２】
図８に示すように、ディスクトレイ２０を構成する金属製中空成形体２０Ｂ中に設けられた外気用通風路２５は、同じく金属製中空成形体２０Ｂの後端面右側に設けられたトレイ側接続端２４ａに連通するとともに、同じく金属製中空成形体２０Ｂの後端面左側に設けられたトレイ側接続端２４ｂに連通している。また、外気用通風路２５は、ディスクトレイ２０に設けられた開口部２０ａを囲うように配設されている。なお、外気用通風路２５は、ディスクトレイ２０がローディング位置にある状態において、筐体１０の外部に位置する外気のみを通風する空気の流路である。
【００５３】
図７に示すように、金属製中空成形体２０Ｂの後端面に設けられたトレイ側接続端２４ａおよび２４ｂは、上述の実施の形態１におけるディスク装置１００Ａと同様に、ディスクトレイ２０がローディング位置にある状態において、筐体１０に設けられた外気吸気側接続端１２ａおよび外気排気側接続端１２ｂを介して、筐体１０の背面に設けられた外気吸気口１１ａおよび外気排気口１１ｂに接続される。
【００５４】
図８および図９に示すように、金属製中空成形体２０Ｂの上部には、樹脂カバー２０Ａが取付けられており、樹脂カバー２０Ａと金属製中空成形体２０Ｂとの間に内気用通風路２７が形成されている。内気用通風路２７は、ディスクトレイ２０の開口部２０ａに設けられた内気吸気口２６ａに連通するとともに、ディスクトレイ２０の下面に設けられた内気排気口２６ｂに連通している。また、内気用通風路２７は、ディスクトレイ２０に設けられた開口部２０ａを囲うように配設されている。なお、内気用通風路２７は、ディスクトレイ２０がローディング位置にある状態において、筐体１０の内部に位置する内気のみを通風する空気の流路である。
【００５５】
ディスクトレイ２０に形成された内気排気口２６ｂの開口面近傍には、送風手段であるファン１５が設置されている。このファン１５は、筐体１０の内部に位置する内気を内気吸気口２６ａを介して内気用通風路２７内に導入するとともに、内気用通風路２７内に取り込んだ内気を内気排気口２６ｂを介して筐体１０の内部空間に再度排出させるためのものであり、同時に内気排気口２６ｂを介して排出された内気の一部をピックアップ５０等の特定の内部構成部品に向けて吹き付けるためのものである。上記ファン１５の作用により、筐体１０の内部空間内に位置する内気は、図８に示す矢印Ｂの如くの流動方向で筐体１０の内部およびディスクトレイ２０の内部を循環することになる。
【００５６】
なお、樹脂カバー２０Ａの上部には、ディスク載置部２０ｂが設けられている。また、樹脂カバー２０Ａの側方端には、上述の実施の形態１におけるディスク装置１００Ａのディスクトレイと同様に、ガイドレール２１およびストッパ片２３が設けられている。
【００５７】
図８および図９に示すように、上述の外気用通風路２５と上述の内気用通風路２７とは、ディスクトレイ２０の内部においてその大部分が並走するように配置されている。これら外気用通風路２５と内気用通風路２７とは、上下方向に積層されており、金属製中空成形体２０Ｂの上部側隔壁によって隔てられている。なお、金属製中空成形体２０Ｂには、外気および内気の流動方向に沿って延びるフィン２８が複数設けられている。
【００５８】
上述の構成とすることにより、ディスクトレイ２０がローディング位置にある状態において、内気と外気とが混ざり合うことなく、筐体１０の内部空間の気密性を保ったまま、ディスクトレイ２０の内部に設けられた内気用通風路２７を流動する内気と、ディスクトレイ２０の内部に設けられた外気用通風路２５を流動する外気との間で、ディスクトレイ２０内部において効率的に熱交換が行なわれるようになるため、内気が飛躍的に冷却されるようになる。そして、この冷却された内気によって発熱部品が冷却されるようになる。そのため、内部構成部品のレイアウトの設計自由度が阻害されることなく、筐体１０内部への塵埃の侵入および外部への騒音の漏れが防止され、かつ内部構成部品を効果的に冷却することが可能になる。
【００５９】
また、本実施の形態におけるディスク装置１００Ｂにおいては、外気用通風路２５と内気用通風路２７とを隔てる隔壁の表面における外気の流動方向と内気の流動方向とが、図８に示すようにディスクトレイ２０の右側部分において逆向きに構成されるため、特にこの部分における熱交換効率が向上し、非常に効果的に装置を冷却することが可能である。さらには、フィン２８が内気および外気の流動方向と同一方向に延在しているため、流動抵抗が生じ難く、高い熱交換効率の維持が可能である。
【００６０】
また、本実施の形態におけるディスク装置１００Ｂにおいては、ディスクトレイ２０の上部を樹脂カバー２０Ａにて構成し、下部を金属製中空成形体２０Ｂにて構成しているため、ディスク載置部２０ｂの表面も樹脂製となり、繰り返しディスク６０を着脱してもディスク６０の情報記録面が傷つくことが防止されるとともに、内気と外気との高効率での熱交換が実現されるようになる。このため、読み取りエラーや書き込みエラー等の動作不良が発生することを防止しつつ、高い冷却効果を得ることが可能になる。
【００６１】
さらには、本実施の形態におけるディスク装置１００Ｂにおいては、内気排気口２６ｂが特に熱的影響を受け易いピックアップ５０に面するように構成されているため、効果的にピックアップ５０を冷却することが可能になり、読み取りエラーや書き込みエラー等の動作不良が発生することが防止可能となる。
【００６２】
（実施の形態３）
図１０は、本発明の実施の形態３におけるディスク装置の内部構造を示す模式断面図であり、ディスクトレイがローディング位置にある状態を示す図である。なお、上述の実施の形態１と同様の部分については図中同一の符号を付し、その説明はここでは繰り返さない。
【００６３】
図１０に示すように、本実施の形態におけるディスク装置１００Ｃは、トレイ側接続端２４ａ，２４ｂと外気吸気側接続端１２ａおよび外気排気側接続端１２ｂとを気密に接続する接続方法において、上述の実施の形態１におけるディスク装置１００Ａと相違する。
【００６４】
具体的には、本実施の形態におけるディスク装置１００Ｃにおいては、トレイ側接続端２４ａ，２４ｂと外気吸気側接続端１２ａおよび外気排気側接続端１２ｂとは、可撓性チューブ１６ａ，１６ｂによってそれぞれ気密に接続されている。可撓性チューブ１６ａ，１６ｂは、ディスクトレイ２０がアンローディング位置（図１に示すトレイ位置）にまで移動した場合にも、上記接続端同士の気密接続が維持されるように所定の長さを有していることが必要である。したがって、図１０に示す如くのローディング位置にディスクトレイ２０が位置した状態においては、可撓性チューブ１６ａ，１６ｂの余剰部分が収容される空間を筐体１０の内部に確保することが必要である。
【００６５】
本構成を採用した場合には、ディスクトレイ２０がローディング位置にある状態のみならずアンローディング位置にある状態においても常に外気が流動する通路が気密に維持されるため、塵埃の侵入および騒音の漏れが確実に防止可能となる。
【００６６】
上述の実施の形態１ないし３におけるディスク装置においては、ディスクトレイがアンローディング位置にある状態およびディスクトレイがトレイ出入口を通じて移動している状態における筐体内部の気密性までをも維持する構成は採用していないが、常に内部空間の気密性が確保されるようにトレイ出入口や外気の給排気口にシャッター機構を設けてもよい。
【００６７】
また、上述の実施の形態１および２におけるディスク装置においては、外気の流動を促進させるファンをディスクトレイがローディング位置にある場合にのみ作動するように構成することが必要である。この構成を実現するためには、たとえばディスクトレイの位置を検出する位置検出手段を設け、この位置検出手段の情報に基づいてファンの動作を制御する制御手段を別途設けることなどが考えられる。
【００６８】
また、上述の実施の形態３におけるディスク装置においては、可撓性チューブが余剰部分を有しており、ディスクトレイがローディング位置にある場合に可撓性チューブが収容される空間を筐体内部に別途設けた場合を例示して説明を行なったが、可撓性チューブ自体が伸縮するように構成してもよい。この構成を実現するためには、たとえば可撓性チューブとして蛇腹機構を有しているものを採用することなどが考えられる。
【００６９】
また、本発明は、ＣＤ、ＣＤ−ＲＯＭ（Compact Disc-Read Only Memory）、ＣＤ−Ｒ（Compact Disc-Recordable）、ＣＤ−ＲＷ（Compact Disc-Rewritable）、ＤＶＤ、ＤＶＤ−ＲＯＭ（Digital Versatile Disc-Read Only Memory）、ＤＶＤ−Ｒ（Digital Versatile Disc-Recordable）、ＤＶＤ−ＲＷ（Digital Versatile Disc-Rewritable）などのディスク状記録媒体を対象とするあらゆるディスク装置に適用が可能である。また、本発明は、単体で設置される外付けのディスク装置のみならず、他の装置にアセンブリとして組み込まれるディスク装置にも当然に適用可能である。
【００７０】
なお、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００７１】
【図１】本発明の実施の形態１におけるディスク装置を前面側右斜め上方から見た外観図である。
【図２】本発明の実施の形態１におけるディスク装置を背面側左斜め上方から見た外観図である。
【図３】本発明の実施の形態１におけるディスク装置のディスクトレイの構造を示す平面図である。
【図４】図３に示すディスクトレイのＩＶ−ＩＶ線に沿った断面図である。
【図５】本発明の実施の形態１におけるディスク装置の内部構造を示す模式断面図であり、ディスクトレイがローディング位置から僅かに引き出された状態を示す図である。
【図６】本発明の実施の形態１におけるディスク装置の内部構造を示す模式断面図であり、ディスクトレイがローディング位置にある状態を示す図である。
【図７】本発明の実施の形態２におけるディスク装置を背面側左斜め上方から見た外観図である。
【図８】本発明の実施の形態２におけるディスク装置のディスクトレイの構造を示す平面図である。
【図９】図８に示すディスクトレイのＩＸ−ＩＸ線に沿った断面図である。
【図１０】本発明の実施の形態３におけるディスク装置の内部構造を示す模式断面図であり、ディスクトレイがローディング位置にある状態を示す図である。
【符号の説明】
【００７２】
１０  筐体、１０ａ  トレイ出入口、１１ａ  外気吸気口、１１ｂ  外気排気口、１２ａ  外気吸気側接続端、１２ｂ  外気排気側接続端、１３ａ，１３ｂ  パッキン、１４  （外気用）送風ファン、１５  （内気用）送風ファン、１６ａ，１６ｂ  可撓性チューブ、２０  ディスクトレイ、２０ａ  開口部、２０ｂ  ディスク載置部、２０ｃ  化粧板、２１  ガイドレール、２２  ラック、２３  ストッパ片、２４ａ，２４ｂ  トレイ側接続端、２５  外気用通風路、２６ａ  内気吸気口、２６ｂ  内気排気口、２７  内気用通風路、３０  シャーシ、３１  支持部、３２  ストッパ部、４０  トレイ搬送機構、４１  モータ、４２  ベルト、４３，４４  中継ギヤ、４５  トレイギヤ、４６  スライダ、５０  ピックアップ、５１  ピックアップレンズ、６０  ディスク。
【図１】
2006024242.tif 000003
【図２】
2006024242.tif 000004
【図３】
2006024242.tif 000005
【図４】
2006024242.tif 000006
【図５】
2006024242.tif 000007
【図６】
2006024242.tif 000008
【図７】
2006024242.tif 000009
【図８】
2006024242.tif 000010
【図９】
2006024242.tif 000011
【図１０】
2006024242.tif 000012